(57)【要約】【課題】  トリミングフィルタの分光特性を調整することにより、光射出面における固体撮像素子からの戻り光の反射量を低減させ、ゴーストやフレアのない良好な画像を得る。【解決手段】  複数のプリズム11,12,13の所定面12bに配置され、所定波長範囲の光を選択的に透過または反射させる分光特性を持つ波長選択フィルタを備える。プリズム13,12の光射出面13a,12aに、色素を含有する光吸収層と分光透過率を調整するコーティング層を含む光吸収層を有するトリミングフィルタ15,16を備える。トリミングフィルタ15,16のコーティング層151,161の分光透過率曲線の立ち上がりの半値が、該コーティング層151,161に到達した光の波長特性曲線の立ち上がりの半値よりも短波長側に位置するように、該コーティング層151,161の分光透過特性を設定する。【選択図】          図１
2006091653.tif 000002
【特許請求の範囲】
【請求項１】
複数のプリズムと、該プリズムの所定のプリズム面に配置され、所定の波長範囲の光を選択的に透過または反射させる相異なる分光特性を持つ複数の波長選択フィルタとを備えた色分解光学系において、
前記複数のプリズムの少なくとも１つは、その光射出面に、色素を含有した光吸収層および分光透過率を調整するコーティング層を有するトリミングフィルタを備え、
該トリミングフィルタの前記コーティング層における分光透過率曲線の立ち上がりの半値が、該トリミングフィルタの前記コーティング層に到達した光の波長特性曲線の立ち上がりの半値よりも短波長側に位置するように、該トリミングフィルタの前記コーティング層における分光透過特性を設定してなることを特徴とする色分解光学系。
【請求項２】
複数のプリズムと、該プリズムの所定のプリズム面に配置され、所定の波長範囲の光を選択的に透過または反射させる相異なる分光特性を持つ複数の波長選択フィルタとを備えた色分解光学系において、
前記複数のプリズムの少なくとも１つは、その光射出面に第１の波長域で立ち上がる第１の分光透過率曲線で表される分光特性を持つ色素を含有した光吸収層と、第２の波長域で立ち上がる第２の分光透過率曲線で表される第２の分光特性を持つダイクロイック膜を含むコーティング層とを有するトリミングフィルタを備え、
前記第１の分光透過率曲線と前記第２の分光透過率曲線の各々の低透過率波長域の少なくとも一部が互いに重なり合うように、前記光吸収層と前記コーティング層の分光透過特性が調整されてなることを特徴とする色分解光学系。
【請求項３】
前記トリミングフィルタの前記コーティング層における分光透過率曲線の立ち上がりの半値は、該トリミングフィルタの前記コーティング層に到達した光の波長特性曲線の立ち上がりの半値よりも１５ｎｍから７０ｎｍの範囲で短波長側に位置するように、該トリミングフィルタの前記コーティング層における分光透過特性を設定してなることを特徴とする請求項１または２記載の色分解光学系。
【発明の詳細な説明】
【技術分野】
【０００１】
本発明は、テレビカメラやビデオカメラ等の撮像装置に用いられる色分解光学系に関し、詳しくは、複数のプリズムおよび波長選択フィルタを組み合わせて構成され、入射光をこれら各光学素子の分光特性により、複数の波長域光（例えば、青色域光、緑色域光、および赤色域光）に分解して、分解した各光を固体撮像素子等に向けて射出する色分解光学系に関するものである。
【背景技術】
【０００２】
従来、この種の色分解光学系として、複数のプリズムおよび色分解用の光学フィルタの組み合わせ方の特徴により、フィリップス型と呼ばれるタイプのものやクロスダイクロイック型と呼ばれるタイプのものなど、種々のものが知られている。
【０００３】
近年、この種の色分解光学系を組み込んだテレビカメラ等の撮像装置では、取り込んだ光学像を電気信号に変換する撮像素子として、撮像管に替わりＣＣＤ等の固体撮像素子が用いられるようになっている。そして、いわゆる焼き付きなどの問題が発生しやすい撮像管を用いた場合には困難であった手法、すなわち、高輝度な被写体像を色分解光学系に取り込んで色分解した後、各光を高輝度な状態のまま各固体撮像素子の撮像面に射出する手法も容易に行ない得るようになった。
【０００４】
しかし、固体撮像素子の撮像面は金属のコーティング膜が施されるなど反射率が高く、高輝度な光が撮像面に入射した場合に、この光が撮像面で反射して色分解光学系の光射出面に反射光として戻り、この反射光が再び光射出面で反射して固体撮像素子の撮像面に再度入射する現象が起きやすい。このような色分解光学系の光射出面と固体撮像素子の撮像面との間で生じる光の往復現象は、ゴーストやフレアを引き起こして画像に悪影響を及ぼす原因となる。
【０００５】
そこで、色分解光学系の光射出面に不要な成分光を除去するための色ガラスからなるトリミングフィルタを配設した場合に、ゴーストやフレアを制御する手段が提案されている（例えば特許文献１参照）。
【０００６】
【特許文献１】特開２００２−３６５４１３号公報
【発明の開示】
【発明が解決しようとする課題】
【０００７】
しかしながら、上記特許文献１に記載された技術では、色ガラスの分光特性が当該色ガラスの厚みに依存するため、色ガラスに求められる分光特性と厚みに関する機械的な制約とを同時に満足させることが困難であった。また、仮に色ガラスに求められる分光特性と厚みに関する機械的な制約とを同時に満足させることができたとしても、色ガラスを製造するための材料の成分が限定されてしまい、色ガラスの熱膨張係数や屈折率などの他の物性に関する自由度が小さなものとなっていた。
【０００８】
このような不都合に対処するため、本願発明者等は、色ガラスの代わりに色素を含む光吸収層を有するトリミングフィルタを用いた色分解光学系を開発した。
しかしながら、このようなトリミングフィルタを用いた従来の色分解光学系では、固体撮像素子の撮像面で反射されてきた光がトリミングフィルタのコーティング層で反射されることを十分に抑制できるとは言い難かった。
【０００９】
図３に示すように、緑色用のトリミングフィルタのコーティング層において反射される光の量は、トリミングフィルタの分光反射率を示す反射特性曲線、プリズムの分光透過率（緑色光透過ダイクロイック膜の分光透過率；以下、単にプリズムの分光透過率とも称する）を示す透過特性曲線、およびＸ軸とで囲まれた部分において、両特性曲線の反射率と撮像面の反射率をそれぞれ掛け合わせた量となる。
【００１０】
すなわち、分光透過率曲線を調整しないトリミングフィルタを用いた色分解光学系において、トリミングフィルタのコーティング層において反射される光の量は、トリミングフィルタのコーティング層の分光反射率を示す反射特性曲線、プリズムの分光透過率を示す透過特性曲線、およびＸ軸とで囲まれた網掛け部分Ｂの面積に応じて決まることとなる。
【００１１】
そして、この網掛け部分Ｂの面積に応じてゴースト量が決まるため、分光透過率曲線を調整しないトリミングフィルタを用いた色分解光学系では、図４に示すように、４９５ｎｍ付近におけるゴースト量が極端に多くなってしまっていた。
【００１２】
また、光吸収層に用いる色素は、その特性のため、図５に示すように、例えば４６３ｎｍ付近から分光透過率曲線が立ち上がっているが、それよりも短波長側（低透過率波長域）において分光透過率を１０％前後にしか減少させることができなかった。すなわち、トリミングフィルタに対して色素を含む光吸収層を設けただけでは、コーティング層における反射光を十分に遮断することができず、良好な画像を得ることができない場合もあった。
【００１３】
本発明は、上述した事情に鑑み提案されたもので、色素を含む光吸収層を有するトリミングフィルタを用いた場合であっても、トリミングフィルタのコーティング層における固体撮像素子からの戻り光の反射量を低減して、ゴーストやフレアを抑制して良好な画像を得ることができる色分解光学系を提供することを目的とする。
【課題を解決するための手段】
【００１４】
本発明の色分解光学系は、上述した目的を達成するため、複数のプリズムと、該プリズムの所定のプリズム面に配置され、所定の波長範囲の光を選択的に透過または反射させる相異なる分光特性を持つ複数の波長選択フィルタとを備えた色分解光学系において、
前記複数のプリズムの少なくとも１つは、その光射出面に、色素を含有した光吸収層および分光透過率を調整するコーティング層を有するトリミングフィルタを備え、
該トリミングフィルタの前記コーティング層における分光透過率曲線の立ち上がりの半値が、該トリミングフィルタの前記コーティング層に到達した光の波長特性曲線の立ち上がりの半値よりも短波長側に位置するように、該トリミングフィルタの前記コーティング層における分光透過特性を設定してなることを特徴とするものである。
【００１５】
また、本発明の色分解光学系は、複数のプリズムと、該プリズムの所定のプリズム面に配置され、所定の波長範囲の光を選択的に透過または反射させる相異なる分光特性を持つ複数の波長選択フィルタとを備えた色分解光学系において、
前記複数のプリズムの少なくとも１つは、その光射出面に第１の波長域で立ち上がる第１の分光透過率曲線で表される分光特性を持つ色素を含有した光吸収層と、第２の波長域で立ち上がる第２の分光透過率曲線で表される第２の分光特性を持つダイクロイック膜を含むコーティング層とを有するトリミングフィルタを備え、
前記第１の分光透過率曲線と前記第２の分光透過率曲線の各々の低透過率波長域の少なくとも一部が互いに重なり合うように、前記光吸収層と前記コーティング層の分光透過特性が調整されてなることを特徴とするものである。
【００１６】
なお、第１の分光透過率曲線と第２の分光透過率曲線の各々の低透過率波長域の少なくとも一部とは、第１の分光透過率曲線と第２の分光透過率曲線が短波長域側において立ち上がる場合に、この立ち上がり部分の近傍より短波長域側の領域をいう。より具体的には、図５に示す分光透過特性において、４５５ｎｍ付近よりも短波長域側の領域をいう。
【００１７】
また、本発明の色分解光学系において、前記トリミングフィルタの前記コーティング層における分光透過率曲線の立ち上がりの半値は、該トリミングフィルタの前記コーティング層に到達した光の波長特性曲線の立ち上がりの半値よりも１５ｎｍから７０ｎｍの範囲で短波長側に位置するように、該トリミングフィルタの前記コーティング層における分光透過特性を設定することが好ましい。
【発明の効果】
【００１８】
本発明の色分解光学系によれば、プリズムの光射出面に配設されたトリミングフィルタのコーティング層における分光透過率曲線の立ち上がりの半値が、該トリミングフィルタのコーティング層に到達した光の波長特性曲線の立ち上がりの半値よりも短波長側に位置している。
【００１９】
このため、トリミングフィルタのコーティング層における分光透過率曲線と裏返しの関係にある分光反射率曲線の立ち下がりの半値が、該トリミングフィルタのコーティング層に到達した光の波長特性曲線の立ち上がりの半値よりも短波長側に位置することとなる。
【００２０】
したがって、プリズムの波長選択フィルタにより分光されてトリミングフィルタを透過した光が固体撮像素子により反射されて戻り光となったとしても、このトリミングフィルタのコーティング層において、固体撮像素子からの戻り光が再び反射される量が極めて少なくなり、ゴーストやフレアの抑制された良好な画像を得ることができる。
【００２１】
上述したように、図３において、トリミングフィルタのコーティング層において反射される光の量は、トリミングフィルタのコーティング層における分光反射率を示す反射特性曲線、プリズムの分光透過率を示す透過特性曲線、およびＸ軸とで囲まれた部分において、両特性曲線と撮像面の反射率をそれぞれ掛け合わせた量となる。すなわち、本発明のトリミングフィルタを用いた色分解光学系において、トリミングフィルタのコーティング層において反射される光の量は、トリミングフィルタの分光反射率を示す反射特性曲線、プリズムの分光透過率を示す透過特性曲線、およびＸ軸とで囲まれた網掛け部分Ａの面積に応じた量となり、分光透過率曲線を調整しないトリミングフィルタを用いた場合の網掛け部分Ｂの面積に応じた量よりも少なくなる。
【００２２】
したがって、トリミングフィルタのコーティング層における分光透過特性を本発明のように設定すると、図４に示すように、トリミングフィルタのコーティング層において反射される光の量が抑制されて、ゴースト量が極めて少なくなることが分かる。
【００２３】
さらに、トリミングフィルタを、第１の波長域で立ち上がる第１の分光透過率曲線で表される分光特性を持つ色素を含有した光吸収層と、第２の波長域で立ち上がる第２の分光透過率曲線で表される第２の分光特性を持つダイクロイック膜を含むコーティング層とを有するように構成し、第１の分光透過率曲線と第２の分光透過率曲線の各々の低透過率波長域の少なくとも一部が互いに重なり合うように、光吸収層とコーティング層の分光透過特性を調整することにより、トリミングフィルタのコーティング層において反射される光の量をより一層抑制することが可能となり、ゴースト量を低減することができる。すなわち、色分解光学系に大光量が入射した際や、色素の特性により、当該色素を含む光吸収層だけではコーティング層における反射光を十分に遮断できない場合であっても、ダイクロイック膜により当該反射光を遮断することができ、より一層良好な画像、特に良好な色画像を得ることができる。
【００２４】
また、本発明の色分解光学系において、具体的な数値範囲として、トリミングフィルタのコーティング層における分光透過率曲線の立ち上がりの半値を、該トリミングフィルタのコーティング層に到達した光の波長特性曲線の立ち上がりの半値よりも１５ｎｍから７０ｎｍの範囲で短波長側に位置するよう設定することにより、特にテレビカメラやビデオカメラ等の撮像装置に用いられる色分解光学系において、ゴーストやフレアが大幅に抑制された良好な画像を得ることができる。
【発明を実施するための最良の形態】
【００２５】
以下、図面を参照して、本発明の色分解光学系の実施形態を説明する。
図１は、本発明の実施形態に係る色分解光学系を示す概略構成図である。
本発明の実施形態に係る色分解光学系は、図１に示すように、被写体（図示せず）の画像情報を担持した入射光の光路Ｌ上に配置されたフィリップス型の色分解プリズム１０を備えてなり、色分解プリズム１０は、青色分解プリズム１１、赤色分解プリズム１２および緑色分解プリズム１３の３つのプリズムから構成されている。
【００２６】
また、青色分解プリズム１１の青色光射出面１１ａと対向する位置には、青色用固体撮像素子１４Ｂが、赤色分解プリズム１２の赤色光射出面１２ａと対向する位置には、赤色用固体撮像素子１４Ｒが、緑色分解プリズム１３の緑色光射出面１３ａと対向する位置には、緑色用固体撮像素子１４Ｇが、それぞれ配設されている。
【００２７】
また、青色分解プリズム１１の反射プリズム面１１ｂには、青色光を含む短波長光域の光（青色域光）のみを反射し、緑色光を含む中間波長域の光（緑色域光）および赤色光を含む長波長域の光（赤色域光）は透過する青反射のダイクロイック膜が配設されている。さらに、赤色分解プリズム１２と緑色分解プリズム１３との境界に位置する反射プリズム面１２ｂには、赤色分解プリズム１２に入射してきた光のうち、赤色可視光の波長域内の光は反射して、赤色可視光の波長域外の光は透過する分光特性を持つ緑透過／赤反射のダイクロイック膜が配設されている。
【００２８】
また、緑色分解プリズム１３の緑色光射出面１３ａには、第１のトリミングフィルタ１５が配設されている。この第１のトリミングフィルタ１５の光射出面１５ａには、不要光を除去するダイクロイックコート１５１が施されており、その分光透過率曲線の立ち上がりの半値が、該トリミングフィルタ１５のコーティング層１５１に到達した光の分光透過率曲線の立ち上がりの半値よりも短波長側に位置するように設定されている。
【００２９】
また、赤色分解プリズム１２の赤色光射出面１２ａには、第２のトリミングフィルタ１６が配設されている。この第２のトリミングフィルタ１６の光射出面１６ａには、不要光を除去するダイクロイックコート１６１が施されており、その分光透過率曲線の立ち上がりの半値が、該トリミングフィルタ１６のコーティング層１６１に到達した光の分光透過率曲線の立ち上がりの半値よりも短波長側に位置するように設定されている。
【００３０】
青反射のダイクロイック膜、赤反射のダイクロイック膜、コーティング層１５１およびコーティング層１６１は、所定の分光特性を有するように調整された周知のダイクロイック膜からなり、例えば、ＴｉＯ２およびＳｉＯ２からなる複数の膜層を交互に積層した構造となっている。
【００３１】
第１のトリミングフィルタ１５および第２のトリミングフィルタ１６は、例えば、プリズム１３，１２の光射出面側から順に、顔料や染料などの色素を含む光吸収層、透明ガラス板、ダイクロイック膜を配設した構造となっている。具体的には、透明ガラス板は厚さ１ｍｍ程度の光学ガラスからなり、この透明ガラス板の一方の面にはダイクロイック膜が真空蒸着法やスパッタリング法などにより形成され、さらに他方の面には光吸収層がスピンコート法や真空蒸着法などにより形成される。
【００３２】
本実施形態の色分解光学系では、このような順序で各膜を配置してトリミングフィルタ１５，１６を形成することにより、ゴーストやフレアを最もよく抑制することができるが、光吸収層あるいはダイクロイック膜の特性を調整することにより、上記各膜の配置順序を変更してトリミングフィルタ１５，１６を形成することもできる。これら両層は、透明ガラス板の一方の面のみにおいて積層するようにしてもよいことは勿論である。
【００３３】
被写体（図示せず）からの光は、光路Ｌに沿って青色分解プリズム１１の入射プリズム面１１ｃから入射して反射プリズム面１１ｂに到り、反射プリズム面１１ｂにおいて、青色域光のみが反射され、緑色域光および赤色域光は透過される。反射プリズム面１１ｂにおいて反射された青色域光は、入射プリズム面１１ｃにおいて全反射された後、青色光射出面１１ａから射出され、青色用固体撮像素子１４Ｂにて撮像される。
【００３４】
一方、青色分解プリズム１１の反射プリズム面１１ｂを透過した緑色域光および赤色域光は、反射プリズム面１２ｂにおいて赤色域光が反射され、緑色域光は透過される。透過した緑色域光は、緑色分解プリズム１３および第１のトリミングフィルタ１５のコーティング層１５１を経て光射出面１５ａから射出され、緑色用固体撮像素子１４Ｇにて撮像される。
【００３５】
また、赤色分解プリズム１２の反射プリズム面１２ｂで反射された赤色域光は、青色分解プリズム１１と赤色分解プリズム１２との間にエアギャップが設けられているため、赤色分解プリズム１２の全反射プリズム面１２ｃにおいて全反射され、第２のトリミングフィルタ１６のコーティング層１６１を経て光射出面１６ａから射出され、赤色用固体撮像素子１４Ｒにて撮像される。
【００３６】
次に、図２〜５を参照して、本実施形態の色分解光学系における分光特性を説明する。
図２は、第１のトリミングフィルタ１５のコーティング層の分光特性を示す説明図、図３は、本実施形態の色分解光学系における分光特性を示す説明図、図４は、本実施形態の色分解光学系におけるゴースト量を示す説明図、図５は、本実施形態の色分解光学系における光吸収層およびダイクロイック膜の分光透過特性を示す説明図である。
【００３７】
なお、図２および図３において、トリミングフィルタの分光透過率あるいは分光反射率とは、トリミングフィルタのコーティング層における分光透過率あるいは分光反射率のことをいう。
【００３８】
本実施形態の色分解光学系において、第１のトリミングフィルタ１５は、図２に示すように、分光透過率曲線の立ち上がりの半値が４６０ｎｍ程度、分光透過率曲線の立ち下がりの半値が６１０ｎｍ程度となるように設定されている。したがって、分光透過率曲線とは裏返しの関係にある分光反射率曲線は、その立ち下がりの半値が４６０ｎｍ程度となる。
【００３９】
また、本実施形態の色分解光学系において、トリミングフィルタ１５のコーティング層１５１に到達する光の透過率曲線の立ち上がり半値が４９５ｎｍ程度、立ち下がり半値が５７３ｎｍ程度となるように設定されている。
【００４０】
また、第１のトリミングフィルタ１５のコーティング層１５１において光吸収層に用いられる色素は、図５に示すように、例えば分光透過率曲線が４６３ｎｍ付近から立ち上がり、それよりも短波長側（低透過率波長域）においては、分光透過率が約６％〜約１６％程度となるような特性を有している。
【００４１】
そこで、第１のトリミングフィルタ１５のコーティング層１５１では、４２８ｎｍ程度よりも短波長側において分光透過率がほぼ０％となるように分光特性が調整されたダイクロイック膜を用いて、低透過率波長域において第１のトリミングフィルタ１５のコーティング層１５１において反射される光の量を抑制している。
【００４２】
本実施形態の色分解光学系では、第１のトリミングフィルタ１５のコーティング層１５１において再反射される光の量は、第１のトリミングフィルタ１５のコーティング層１５１の分光反射率と色分解プリズム１０の緑色成分の分光透過率と緑色用固体撮像素子１４Ｇの分光反射率を掛け合わせた値となる。すなわち、図３に示すように、第１のトリミングフィルタ１５のコーティング層１５１において再反射される光の量は、第１のトリミングフィルタ１５のコーティング層１５１の分光反射率を示す反射特性曲線（細い実線）、色分解プリズム１０の緑色成分の分光透過率を示す透過特性曲線（太い実線）、およびＸ軸で囲まれた網掛け部分Ａの面積に応じた量となる。なお、図３では、便宜的に緑色用固体撮像素子１４Ｇの分光反射率曲線を省略して示している。
【００４３】
これに対して、分光透過率曲線を調整しないトリミングフィルタのコーティング層では、図３に示すように、分光透過率曲線の立ち上がりの半値が４９４ｎｍ程度に設定されている。したがって、分光透過率曲線とは裏返しの関係にある分光反射率曲線は、その立ち下がりの半値が４９４ｎｍ程度となる。このため、分光透過率曲線を調整しないトリミングフィルタのコーティング層の分光反射率を示す反射特性曲線（破線）、色分解プリズム１０の緑色成分の分光透過率を示す透過特性曲線（太い実線）、およびＸ軸で囲まれた網掛け部分Ｂに応じた面積が、本実施形態の色分解光学系と比較して広くなっている。
【００４４】
このように、本実施形態のものでは、従来のものと相対的に比較して、網掛け部分Ａの面積を小さくすることができることから、緑色用固体撮像素子１４Ｇからの戻り光の殆どは、第１のトリミングフィルタ１５のコーティング層１５１を透過して、第１のトリミングフィルタ１５のコーティング層１５１において再反射される光の量を少なくすることができる。
【００４５】
したがって、図４に示すように、分光透過率曲線を調整しないトリミングフィルタのコーティング層では、本実施形態の色分解光学系と比較して、４９５ｎｍ付近におけるゴースト量が極端に多くなるのに対して、本実施形態の色分解光学系ではこのようなことはなく、全体としてゴースト量を少なくすることができる。
【００４６】
同様に、第２のトリミングフィルタ１６のコーティング層１６１においても、その分光透過率曲線の立ち上がりの半値が、色分解プリズム１０の赤色成分の分光透過率曲線の立ち上がりの半値よりも短波長側に位置するように、第２のトリミングフィルタ１６のコーティング層１６１の分光透過特性が設定されている。
【００４７】
このため、赤色用固体撮像素子１４Ｒからの戻り光の殆どは、第２のトリミングフィルタ１６のコーティング層１６１を透過して、第２のトリミングフィルタ１６のコーティング層１６１において再反射される光の量を少なくすることができ、赤色域光においてもゴースト量を少なくすることができる。
【００４８】
したがって、本実施形態の色分解光学系では、従来の色分解光学系と比較して第２のトリミングフィルタ１６のコーティング層１６１において反射される光の量が少なくなり、ゴーストやフレアを大幅に抑制することができる。
【００４９】
なお、トリミングフィルタ１５のコーティング層１５１およびトリミングフィルタ１６のコーティング層１６１の分光透過率曲線の立ち上がりの半値は、上記した値に限られるものではなく、トリミングフィルタ１５のコーティング層１５１およびトリミングフィルタ１６のコーティング層１６１に到達した光の波長特性曲線の立ち上がりの半値よりも短波長側に位置するように設定すれば適宜変更して実施することができるが、特に、トリミングフィルタ１５のコーティング層１５１およびトリミングフィルタ１６のコーティング層１６１に到達した光の波長特性曲線の立ち上がりの半値よりも１５ｎｍから７０ｎｍの範囲で短波長側に位置するように設定することが好ましい。
【００５０】
上記実施形態においては、緑色分解プリズム１３の緑色光射出面１３ａに第１のトリミングフィルタ１５を配設し、赤色分解プリズム１２の赤色光射出面１２ａに第２のトリミングフィルタ１６を配設しているが、トリミングフィルタは、緑色分解プリズム１３の緑色光射出面１３ａあるいは赤色分解プリズム１２の赤色光射出面１２ａのいずれか一方にのみ配設してもよい。
【００５１】
また、上記実施形態では、フィリップス型の色分解プリズムを用いているが、本発明は、クロスダイクロイック型の色分解プリズム、あるいは４板式や２板式の色分解プリズム等、他の色分解プリズムに対して適用可能である。
【図面の簡単な説明】
【００５２】
【図１】本発明の実施形態に係る色分解光学系を示す概略構成図
【図２】第１のトリミングフィルタのコーティング層における分光特性を示す説明図
【図３】本発明の実施形態の色分解光学系（第１のトリミングフィルタのコーティング層）における分光透過・反射特性を示す説明図
【図４】本発明の実施形態の色分解光学系（第１のトリミングフィルタ）におけるゴースト量を示す説明図
【図５】本発明の実施形態の色分解光学系（第１のトリミングフィルタ）における光吸収層およびダイクロイック膜の分光透過特性を示す説明図
【符号の説明】
【００５３】
１０  色分解プリズム
１１  青色分解プリズム
１１ａ  青色光射出面
１１ｂ  反射プリズム面（青反射）
１１ｃ  入射プリズム面
１２  赤色分解プリズム
１２ａ  赤色光射出面
１２ｂ  反射プリズム面（赤反射）
１２ｃ  全反射プリズム面（赤反射）
１３  緑色分解プリズム
１３ａ  緑色光射出面
１４Ｂ  青色用固体撮像素子
１４Ｒ  赤色用固体撮像素子
１４Ｇ  緑色用固体撮像素子
１５  第１のトリミングフィルタ
１５１  コーティング層
１５ａ  光射出面
１６  第２のトリミングフィルタ
１６１  コーティング層
１６ａ  光射出面
【図１】
2006091653.tif 000003
【図２】
2006091653.tif 000004
【図３】
2006091653.tif 000005
【図４】
2006091653.tif 000006
【図５】
2006091653.tif 000007